(57)【特許請求の範囲】
【請求項１】
ネットワークと，
前記ネットワークに接続されるサーバー側システムと，
前記ネットワークに接続されるクライアント側システムとを有し，
前記サーバー側システムは，集計項目を定義した汎用項目定義情報テーブルを格納するデータファイルを有し，
前記クライアント側システムは，複数のグループを含み，それぞれのグループは，一のグループ管理者用システムと複数のユーザー用システムで構成され，
前記それぞれのグループのグループ管理者用システムにより，前記サーバー側システムから入力項目詳細情報設定フォームを取得し、前記入力項目詳細情報設定フォームに集計項目を設定または更新し，前記ネットワークを通して前記サーバー側システムに前記設定または更新した集計項目を送り，
前記サーバー側システムにより，前記データファイルに格納される，当該グループに対応する汎用項目定義情報テーブルに前記グループ管理者用システムで設定または更新された集計項目の登録を行い，
前記複数のユーザー用システムの各々により，前記サーバー側システムから前記データファイルに格納されている前記汎用項目定義情報テーブルを取得し，該取得された汎用項目定義情報テーブルの項目定義情報に対応するデータ入力表に入力値を入力し，これを前記サーバー側システムに返送し，前記データファイルに登録し，
さらに，前記グループ管理者用システムにより，前記サーバー側システムから前記ユーザー用システムにより入力された入力値を求め，該求められた入力値を合算処理する，
ように構成されたことを特徴とする集計情報集配システム。
【請求項２】
請求項１において，
前記グループ管理者用システムは，前記データ入力表の縦方向の項目を定義する情報及び横方向の項目を定義する情報を入力して，前記汎用項目定義情報テーブルの任意の集計項目情報を設定及びまたは更新することを特徴とする集計情報集配システム。
【請求項３】
請求項１または２において，
前記グループは，調剤薬局グループであることを特徴とする集計情報集配システム。
【発明の詳細な説明】
【０００１】
【発明の属する技術分野】
本発明は、集計情報集配システムに関する。特に、医療機関や調剤薬局及びその他各地にある支店、営業所を有する調剤薬局グループにおける集計情報を集配するに適した集計情報集配システムに関する。
【０００２】
【従来の技術】
商品流通においてグループ化を形成している場合が多くある。グループ管理元本部（管理者）は、グループ内登録店舗との間で在庫情報、発注情報等を収集し、これを集計して該当のグループ内登録店舗に配信することにより、在庫管理を適切に行うことが望まれる。
【０００３】
このような商品流通においてグループ化を形成している一形態として、例えば、医療機関や調剤薬局及びその他各地にある支店、営業所を有する調剤薬局グループがある。
【０００４】
かかる調剤薬局グループにおいて、複数の地域に分散された医療機関や調剤薬局及びその他各地にある支店、営業所からの情報を管理元（管理者）が集計する場合は、従来多くの場合、文書やＦＡＸあるいは電子メールによって行われていた。そして、このようにして集められた情報を管理者が予め決められた項目に対して集計し管理する事が行われていた。しかし、かかる文書やＦＡＸあるいは電子メールによる場合は、専らその都度の作業者の手作業によって行われ、効率的ではない。
【０００５】
このために、計算組織を用いて管理者において情報収集をデータベース化して集計を効率化する方法が考えられる。しかし、このように計算組織を用いて上記収集情報を管理する場合、固定され、予め決められた項目を有するフォーマットを用いることが専らであった。
【０００６】
一方、上記調剤薬局グループの場合、法律の制定、改正の際には、予め決められた集計対象項目を追加修正等することが必須のことになる。しかし、上記計算組織を用いる場合、法律の制定、改正に適宜迅速に対応して固定され、予め決められた項目を有するフォーマットを編集することは容易ではなかった。
【０００７】
さらに、グループとして、複数のグループ形態が存在し、これら複数のグループが更に１つの共通グループ組織に含まれるような場合、前記複数のグループにおいて、グループ毎にそれぞれの管理者において情報収集をデータベース化することは効率的ではない。すなわち、グループが異なっても、選択するべき項目には共通のものが多くある。このために、共通する項目を異なるグループに対しても利用可能とすることが望まれる。
【０００８】
【発明が解決しようとする課題】
本発明の目的は、上記の従来技術に鑑みてグループを構成するユーザーにおいて、管理者が設定した任意項目の最新の情報を迅速に受信利用できる集計情報集配システムを提供することにある。
【０００９】
さらに、本発明の目的は、グループを構成するユーザーが入力したデータを管理者が柔軟且つ簡便に集計可能とする集計情報集配システムを提供することにある。
【００１０】
また、複数のグループに対して、共通のデータベースを利用可能とする集計情報集配システムを提供することにある。
【００１１】
【課題を解決するための手段】
上記本発明の目的を達成する集計情報集配システムは，一の態様としてネットワークと，前記ネットワークに接続されるサーバー側システムと，前記ネットワークに接続される複数のクライアント側システムとを有し，前記サーバー側システムは，集計項目を定義した汎用項目定義情報テーブルを格納するデータファイルを有し，前記複数のクライアント側システムは，複数のグループを含み，それぞれのグループは，一のグループ管理者用システムと複数のユーザー用システムで構成され，前記グループ管理者用システムにより，所定のフォームに集計項目を設定または更新し，前記ネットワークを通して前記サーバー側システムに前記設定または更新した集計項目を送り，前記サーバー側システムにより，前記データファイルに格納される汎用項目定義情報テーブルに前記グループ管理者用システムで設定または更新された集計項目の登録を行い，前記複数のユーザー用システムの各々により，前記サーバー側システムから前記データファイルに格納されている前記汎用項目定義情報テーブルを取得し，該取得された汎用項目定義情報テーブルの項目定義情報に対応するデータ入力表に入力値を入力し，これを前記サーバー側システムに返送し，前記データファイルに登録し，さらに，前記グループ管理者用システムにより，前記サーバー側システムから前記ユーザー用システムにより入力された入力値を求め，該求められた入力値を合算処理する，ように構成されたことを特徴とする。
【００１３】
さらに前記態様において，前記グループ管理者用システムは，前記データ入力表の縦方向の項目を定義する情報及び横方向の項目を定義する情報を入力して，前記汎用項目定義情報テーブルの任意の集計項目情報を設定及びまたは更新することを特徴とする。
【００１４】
さらに，前記態様において，前記グループは，調剤薬局グループであることを特徴とする。
【００１５】
本発明の特徴は、以下の図面を参照して説明される発明の実施の形態から更に明らかになる。
【００１６】
【発明の実施の形態】
以下図面を参照して本発明の実施の形態を説明する。なお、図に示され、説明される実施の形態は、本発明の理解のためのものであり、本発明の保護の範囲は、かかる実施の形態に限定されるものではない。
【００１７】
図１は、本発明を適用する集計情報集配システムを説明する概念図である。図において、ネットワークとしてインターネット１を通してサーバー側システム２とクライアント側システム３，４が接続される。また、クライアント側システム３，４は、管理者用システム３とユーザー用システム４である。
【００１８】
サーバー側システム２として、インターネット１などのネットワークへの接続機能を有する通信モジュール２０、基本オペレーティングシステム２１、セキュリティ管理、汎用フォーム定義情報及び汎用入力データの集配信を行うシステムサーバー２２，データファイル２３及び、データファイル２３へのアクセスの中枢機能を果たすデータベースエンジン２４を有する。
【００１９】
一方、クライアント側システム３，４の構成は同様であり、インターネット１などのネットワークへの接続機能を有する通信モジュール３０，４０、オペレーティングシステム３１，４１、汎用集計情報配信システム３２，４２、データファイル３３，４３及び、それぞれデータファイル３３，４３をアクセスする中枢の機能を果たすデータベースエンジン３４，４４を有する。
【００２０】
図１のシステムにおいて、更にクライアント側がグループを構成しており、同一グループ内に一つのグループ管理者用システム３及び、複数のユーザー用システム４として複数のグループ登録メンバー（メンバー１〜Ｎ）を有する。
【００２１】
また、図では一つのグループのみが示されているが、複数のグループがインターネット１に接続されている形態も存在する。
【００２２】
以下かかるシステムにおいて、本発明に従う任意の集計情報を配信するシステムの動作を前記グループが調剤薬局グループである場合を例として説明する。ここで、集計情報の配信とは、本発明において、グループ内のユーザー用システム４から入力される入力値を収集し、管理者用システム３において集計すること、印刷若しくはデータファイル出力できるようにすること、更にこのための入力値及び集計情報を送信することを含む概念である。
【００２３】
図２は、本発明に従い任意の集計項目定義情報を伝達する仕組みを説明する図である。図２において、グループ管理者用システム３からサーバー側システム２に対し、任意項目情報が登録される。この任意項目情報の登録手順が図３のフローに示される。
【００２４】
図３のフローは主としてグループ管理者用システム３の汎用集計情報配信システム３２により制御される。図３において、処理が開始される（３００）と、グループ管理者用システム３の図示しないモニタに図４に示す如きメニュー画面が表示される。
【００２５】
グループ管理者用システム３におけるグループ管理者によりメニュー画面のグループ集計ボタン群４０１の入力項目の定義ボタン４０１−１を指示すると、フォームのｉＤ（フォームコード）入力画面が表示される。したがって、グループ管理者は、任意項目を入力するフォームのｉＤ（フォームコード）を入力し（３０１）、対応フォームに既存データがあるか否かをサーバー側システム２に問い合わせを行う（３０２）。
【００２６】
この問い合わせに対し、対応フォームの既存データが無い場合（３０２−Ｎ）は、グループ管理者用システム３のモニタに初期画面が表示される（３０３）。
【００２７】
一方、サーバー側システム２のデータファイル２３に対応フォームの既存データが既にある場合は、これをサーバー側システム２より取得する（３０４）。
取得された既存データは、上記入力したフォームのｉＤ対応のフォーム形式上に画面表示される（３０５）。これにより、グループ管理者は、表示されたフォームに汎用項目情報の追加・訂正を行い任意の集計項目を設定する（３０６：図２の▲１▼参照）。
【００２８】
追加・訂正された汎用項目情報はグループ管理者用システム３からサーバー用システム２へインターネット１を通して送信し（３０７）、該当グループのデータファイルに登録し（３０８：図２の▲２▼参照）、任意項目情報の登録処理を終了する（３０９）。
【００２９】
図５は、グループ管理者用システム３のモニタに表示される上記の任意項目を入力するフォームの一例である。グループ管理者用システム３において、グループ管理者は、データ種別コード（図５に示す例では０１）を用いて前記フォームのｉＤ（フォームコード）を特定する。
【００３０】
グループ管理者用システム３において、データ種別コード０１に対応する図５の入力項目詳細情報設定のフォームをサーバー側システム２から取得し、このフォームに縦方向５０と横方向５１に規定される入力項目を任意に定義する。そして、定義された入力項目詳細情報がサーバー側システム２に送られ設定登録される。
【００３１】
図６は、サーバー側システム２に登録される汎用入力項目の定義情報テーブルの例である。図６において、グループ管理者により定義された縦方向定義情報５０及び、横方向定義情報５１がサーバー側システム２に送られる。
【００３２】
したがって、サーバー側システム２の汎用集計情報配信システムサーバー２２により、これらの定義情報５０、５１を結合することにより汎用項目定義情報テーブル５２を得ることが可能である。この得られた汎用項目定義情報テーブル５２は、サーバー側システム２のデータファイル２３に登録される。
【００３３】
次に図２に戻り、このようにサーバー側システム２に登録された入力項目定義情報をユーザー用システム４が取得する処理を図７の手順フローを参照して説明する。図７のフローは、ユーザー用システム４としてグループ登録されたユーザーの汎用集計情報配信システム４２により主として制御される。
【００３４】
図７において、処理が開始される（５００）と、図４に示すメニュー画面がモニタに表示される。但し、ユーザー用システム４のモニタにはグループ集計ボタン群４０１は表示されない。
【００３５】
ここでユーザー用システム４において、ユーザーは図４のメニュー画面の項目定義ダウンロードボタン４０２を押下してサーバー側システム２に対し、入力項目定義情報を要求する（５０１）。サーバー側システム２では、ユーザー用システム４から入力されるユーザーｉＤ，パスワードの整合性をチェックする（５０２）。
【００３６】
このチェックにおいて、整合性無しの場合は、入力項目定義情報取得のアクセス失敗（５０３）として処理を終了する（５０４）。一方、整合性有りの場合は、図４のメニュー画面において、ユーザー用システム４自身が所属するグループのコードを特定する（５０５）。
【００３７】
これにより、サーバー側システム２において、特定されたグループコードを基に関連データをデータファイル２３から検索して、該当グループの定義フォームの読込を行う（５０６）。これを送信電文として編集して（５０７）、取得要求の有ったユーザー用システム４に送信する。
【００３８】
これにより、当該ユーザー用システム４においてサーバー側システム２からの電文を受信取得する（５０８：図２の▲３▼参照）。次いで、図５に示す入力項目定義情報がユーザー用システム４のローカルデータファイル４３に更新格納され（５０９）、処理は終了する（５１０）。
【００３９】
なお、この時、図５に示す入力項目定義情報の内、ユーザー自身と関係のない定義項目即ち、データ入力の対象とならない項目が含まれる場合がある。したがって、必要により、ユーザーは図４のメニュー画面において、入力項目の定義ボタン４００を押下することにより、図５の入力項目定義からユーザー自身と関係のない定義項目をマスクすることが可能である。
【００４０】
つぎに、ユーザー用システム４から入力される集計対象入力値を集計する動作を説明する。図８は、ユーザー用システム４から入力される任意集計項目入力値をグループ管理者用システム３において集計する仕組みを説明する図である。
【００４１】
図９は、ユーザー用システム４からのデータ入力動作のフロー図である。この図９の処理も主として、ユーザー用システム４における汎用集計情報配信システム４２により制御される。
【００４２】
図９において、処理が開始すると（６００）、図４のメニュー画面がモニタに表示され、ユーザー用システム４のユーザーがデータ入力処理ボタン４０３を指示する。これにより先にサーバー側システム２から取得した定義情報がローカルデータファイル４３から読込み出され、モニタに表示される（６０１）。
【００４３】
図５に示すようにモニタに表示された入力項目詳細情報設定の縦及び横定義情報について、表示される入力対象５２，５３においてチェックして自薬局関係項目を選択抽出する（６０２）。これによりユーザー用システム４のデータベースエンジン４４により横定義情報の入力画面への展開（６０３）、縦定義情報の入力画面への展開（６０４）が行われ、図１０に示す項目データ入力表が表示される。
【００４４】
ここで、図５において入力対象５２，５３をチェック選択した項目に対応する定義済み入力項目情報が、図６及び図１１に示される汎用項目定義情報テーブル５２における縦横フラグ５２０に示されている。
【００４５】
したがって、図１１に示すように、縦方向及び横方向に定義情報が展開され、データ入力画面５３が得られる。
【００４６】
図１０において、縦定義項目５０及び横定義項目５１ともに前記自薬局関係項目として選択された表示制御フラグ５２０に対応するものである。
【００４７】
ユーザーは、図１０の項目データ入力表における入力領域の幅及び高さの調整を画面上で任意に行うことができる（６０５）。
【００４８】
次いで、ユーザーは入力データをキーにより入力しあるいは、ファイルから取り込んで、図１０に示す表にデータを入力する（６０６：図８の▲１▼参照）。このようにして入力されたデータを自ユーザー用システム４内のデータファイル４３に保存する（６０７）。
【００４９】
同時に、図４のメニュー画面において、入力データ送信ボタン４０４を押下して、インターネット１を通してサーバー側システム２に入力データを送る（６０８：図８の▲２▼参照）。サーバー側システム２ではこれを受信し、データファイル２３に格納して保存する（６０９）。
【００５０】
次にユーザー用システム４で入力され、サーバー側システム２に格納された入力値をグループ管理者用システム３において集計する手順を説明する。
【００５１】
図１２は、この手順を示す汎用入力データの集計処理フローである。このフローは主としてグループ管理者用システム３の汎用集計情報配信システム３２により制御される。
【００５２】
図１２において、図４のメニュー画面でグループ集計ボタン群４０１の入力データ集計ボタン４０１−３を押下し、集計処理が開始する（７００）。
【００５３】
そして、先ず集計条件入力方法を指定し（７０１）、次いで指定された集計条件入力方法に対応した準備処理が行われる。
【００５４】
すなわち、処理（７０１）で保存した登録パターンを呼び出して使用する場合は（７０２）は、複数の予め決められたパターンから対象とする登録パターンを選択して、対応する登録パターン情報が呼び出される（７０３）。この場合には、集計の対象年月日にのみが入力される（７０４）。
【００５５】
一方、集計条件入力方法の指定（７０１）において、対象フォームを選択する指定の場合（７０５）は、画面から直接集計要件を入力する。たとえば、対象薬局を選択する指定を行い（７０６）。ついで、集計対象年月日を入力し（７０７）、集計対象項目の縦、横の指定を行う（７０８）。集計対象項目の縦、横の指定において、例えば、集計対象項目の縦方向に病院、横方向にレセプト件数、処方箋枚数、技術料等が指定される。
【００５６】
さらに、出力方法における対象フォームの縦、横欄の指定を行う（７０９）。たとえば、縦の出力方法として項目別を出力し、横の出力方法として日別を出力する如くである。
【００５７】
この後、サーバー側システム２に対象データを要求し（７１０）、これに対応してサーバー側システム２から対象データを取得する（７１１）。ついで取得された対象データに基づき受信データの合算及び展開が行われる（７１２）。受信データの合算及び展開の結果がクリスタルレポート（集計表作成ツール）によって最終の表示イメージに編集される（７１３）。
【００５８】
ここで、受信データの合算及び展開の処理（７１２）は、図１３のフローに基づき行われる。図１３において、処理が開始されると（８００）、図１４に示す様な２次元データへの展開が行われる（８０１）。すなわち、図１４において、グループ汎用入力データ６０をそれぞれの薬局を基準に展開する。図１４の例では、Ａ薬局６１，Ｂ薬局６２に展開する例である。
【００５９】
さらに、展開された薬局毎に汎用入力データを日付順に展開する（８０２）。ついで、汎用入力データを横方向に展開し（８０３）、更に縦方向に展開する（８０４）。これにより、図１４に示される様に薬局別、日付別の縦横２次元データに展開できる。
【００６０】
この様に得られた薬局別、日付別の縦横２次元データは、縦方向（８０５）及び横方向（８０６）に指定条件による入力データの合算処理（８０７）及び合算結果を該当位置への埋め込む処理（８０８）を、それぞれ項目数分繰り返し（８１０，８０９）、処理を終了する（８１１）。
【００６１】
図１５乃至図１７は、図１２において処理７０５〜７０９により指定された条件に基づき、図１３の処理（８０５）から（８１０）により行われる汎用入力データから集計表への展開処理のイメージ例である。
【００６２】
図１５は、図１２のフローにおいて、集計対象項目を指定する処理（７０８）において、集計対象項目として技術料及び薬価差額を選択指定している。さらに、出力方法を指定する処理（７０９）により縦出力を項目別とし、横出力を日別としている例である。
【００６３】
したがって、図１３のフローの処理（８０７）において、薬局毎に同一日付の集計対象項目（技術料と薬価差額）の入力値を合計している。合計された入力値は、対応する項目及び日付の領域に登録される。
【００６４】
図１６に示す例では、縦出力を日付別とし、横出力を薬局別としている。さらに、集計対象項目として、技術料及び薬価差額を選択指定する例である。したがって、図１３のフローの処理（８０７）において、日付毎に同一薬局の集計対象項目（技術料と薬価差額）の入力値を合計している。合計された入力値は、対応する日付及び薬局の領域に登録される。
【００６５】
図１７に示す例では、縦出力及び横出力ともに項目別とし、レセプト件数の項目に関し、全薬局及び全日付に付いて入力値を合計する例である。
【００６６】
さらに、図４に示すメニュー画面について説明すると、入力データ集計ボタン４０５は、一般ユーザーにおいて、入力データを集計する際に押下される。この入力データの集計処理は、自薬局のローカルデータを対象とすることのみが異なり、図１２、図１３で説明した処理と同様であるので更なる説明は省略する。
【００６７】
また、グループ集計ボタン群４０１の他店舗データ参照ボタン４０１−２は、グループ管理者用システム３において、他店舗のデータを参照する際に押下される。この時、モニタ画面は図示していないが、図１０に示す汎用項目入力フォームと同様に構成され、更に薬店名をプルダウンリストから選択できるように構成されている画面が表示される。したがって、他店舗の薬店名をプルダウンリストから選択することにより、対象となる店舗の入力データを参照することができる。
【００６８】
【発明の効果】
上記のように本発明では、サーバーシステム２のデータファイルに登録された情報に基づき、任意に集計の必要が発生する項目の情報を迅速に集計することが可能である。これによりタイムリーな集計作業が容易となる。
【００６９】
なお、上記実施例として調剤薬局グループに関し説明したが、本発明の適用ははかかる調剤薬局グループに限定されるものではないことは、先に述べた通りである。
【図面の簡単な説明】
【図１】本発明を適用する集計情報集配システムを説明する概念図である。
【図２】本発明に従い任意の集計項目定義情報を伝達する仕組みを説明する図である。
【図３】図２において登録される任意項目情報の登録手順を示すフロー図である。
【図４】グループ管理者用システム３の図示しないモニタに表示されるメニュー画面の一例を示す図である。
【図５】グループ管理者用システム３のモニタに表示される上記の任意項目を入力するフォームの一例を示す図である
【図６】サーバー側システム２に登録される汎用入力項目の定義情報テーブルの例である。
【図７】サーバー側システム２に登録された入力項目定義情報をユーザー用システム４が取得する処理手順を示すフロー図である。
【図８】任意集計項目入力値を集計する仕組みを説明する図である。
【図９】ユーザー用システム４からのデータ入力動作のフロー図である。
【図１０】項目データ入力表を示す図である。
【図１１】定義済み入力項目情報から、データ入力画面への展開を説明する図である。
【図１２】入力値をグループ管理者用システム３において集計する手順を説明する汎用入力データの集計処理フローである。
【図１３】図１２の集計処理フローにおいて、受信データの合算及び展開の処理のフロー図である。
【図１４】図１３の処理において展開される２次元データの例を示す図である。
【図１５】図１２のフローにおいて、処理７０９により縦出力を項目別とし、横出力を日別とする展開例を説明する図である。
【図１６】図１２のフローにおいて、処理７０９により縦出力を日付別とし、横出力を薬局別とする展開例を説明する図である。
【図１７】図１２のフローにおいて、処理７０９により縦出力、横出力ともに項目別とする展開例を説明する図である。
【符号の説明】
１  インターネット
２  サーバー側システム
３  管理者用システム
４  ユーザー用システム
２０，３０，４０  通信モジュール
２１，３１，４１  オペレーティングシステム
２２  汎用集計情報配信システムサーバー
３２，４２  汎用集計情報配信システム
２３，３３，４３  データファイル
【図１】
0004404443.tif 000002
【図２】
0004404443.tif 000003
【図３】
0004404443.tif 000004
【図４】
0004404443.tif 000005
【図５】
0004404443.tif 000006
【図６】
0004404443.tif 000007
【図７】
0004404443.tif 000008
【図８】
0004404443.tif 000009
【図９】
0004404443.tif 000010
【図１０】
0004404443.tif 000011
【図１１】
0004404443.tif 000012
【図１２】
0004404443.tif 000013
【図１３】
0004404443.tif 000014
【図１４】
0004404443.tif 000015
【図１５】
0004404443.tif 000016
【図１６】
0004404443.tif 000017
【図１７】
0004404443.tif 000018